(57)【要約】      （修正有）【課題】素足で履くフットカバーにおいて、履くときに開口部が十分に開いて履きやすく、かつ、歩行時およびパンプスの脱ぎ履き時にフットカバーが脱げてしまったり履き位置がずれてしまったりすることがないフットカバーを提供する。【解決手段】このフットカバー１００は、爪先と踵を含む足底とを被覆するとともに足甲および足首を露出するフットカバーであって、爪先部１０２、足底部１０４、側辺部１０６および踵部１０８で形成され、足底部１０４に対して上下反対側に足を出し入れするための開口部を設け、開口部を形成する側辺部１０６の上縁に伸縮性細幅生地１１６を設け、着用時の側方視で、伸縮性細幅生地１１６の長手方向と爪先部１０２の上側の後縁とで形成される角度が略直角である。【選択図】図１
2020045607.tif 000002
【特許請求の範囲】
【請求項１】
爪先と踵を含む足底とを被覆するとともに足甲および足首を露出するフットカバーであって、足底部、側辺部、踵部および前記爪先を覆う筒状の爪先部で形成され、
前記足底部に対して上下反対側に足を出し入れするための開口部を設け、
前記開口部を形成する側辺部の上縁に伸縮性細幅生地を設け、
着用時の側方視で、前記伸縮性細幅生地の長手方向と前記爪先部の上側の後縁とで形成される角度が略直角であることを特徴とするフットカバー。
【請求項２】
前記開口部を形成する爪先部の上側の後縁に伸縮性細幅生地を設け、
着用時の側方視で、前記側辺部の上縁に設けられた伸縮性細幅生地の長手方向と前記爪先部の後縁に設けられた伸縮性細幅生地とで形成される角度が略直角であることを特徴とする、請求項１に記載のフットカバー。
【請求項３】
前記伸縮性細幅生地は、爪先部、足底部、側辺部および踵部を形成する生地のいずれかと同じ生地で形成されていることを特徴とする、請求項１または請求項２に記載のフットカバー。
【請求項４】
前記伸縮性細幅生地は、爪先部、足底部、側辺部および踵部を形成する生地のいずれとも異なる生地で形成されていることを特徴とする、請求項１または請求項２に記載のフットカバー。
【請求項５】
爪先を被覆するフットカバーであって、前記爪先を覆う筒状の爪先部と、前記爪先部の左右側にそれぞれ接合されて着用時に踵に係止されるループ状の伸縮性部材とで形成され、
着用時の側方視で、前記伸縮性部材の長手方向と前記爪先部の上側の後縁とで形成される角度が略直角であることを特徴とするフットカバー。
【請求項６】
前記伸縮性部材は、細帯状または紐状であることを特徴とする、請求項５に記載のフットカバー。
【発明の詳細な説明】
【技術分野】
【０００１】
本発明は、着用するとパンプス（履き口である甲部分が大きく開いている主として婦人用の靴）等の靴の内側に隠れて見えなくなるフットカバーに関し、特に、歩行等の動作によっても脱げたり位置ずれすることが少ないフットカバーに関する。
【背景技術】
【０００２】
素足にパンプス等の靴を履くことが、ファッションとして定着している。この場合、パンプスと足裏とが直接接していると、足に発生した汗により靴の中が蒸れてしまい不快感がある。
そこで、爪先と踵を含む足底とを被覆するとともに足甲および足首を露出するフットカバーであって、着用時にパンプスから露出することのないよう履き口が大きくカットされた薄手のフットカバーが提案されている。このフットカバーを着用してパンプスを履けば、外観上、素足にパンプスを履いているように見え、足裏とパンプスとの間にはフットカバーが介しているため、汗によって靴の中が蒸れてしまうことを防止することができる。
【０００３】
なお、このような足装着具を、本明細書ではフットカバーと記載するが、ソックスカバー、インナーソックス、ヌードソックス、カバーソックス等と記載される場合もある。
このようなフットカバーはパンプスから露出しないよう履き口が大きくカットされているため、歩行中の摩擦等によって履き位置がずれたり、脱げたりすすることがある。一方、履き口を小さくしてしまうとパンプスから露出してしまう。このような問題点に鑑みて開発されたフットカバーが、以下の先行技術文献に開示されている。
【０００４】
特開平１０−２９２２０６号公報（特許文献１）は、歩行時におけるパンプスとフットカバーとの摩擦によってフットカバーが素足から脱げてしまったり、パンプスの脱ぎ履き時にフットカバーが脱げてしまったり履き位置がずれてしまったりすることを防止するために、踵当接部内面に摩擦付与体を取り付けたフットカバーを開示する。
実用新案登録第３１６５７３３号公報（特許文献２）は、特許文献１に開示されたフットカバーの開口部の周縁に沿ってゴム紐を設けたのでは、ゴム紐が足に食い込むため、足にゴム紐の型が付いてしまったり、痛みを感じたり、履き心地が良くないという問題があったことに鑑み、開口部の周縁に沿って平ゴムを設けて一面が足に接するようにした帯状伸縮部を形成したフットカバーを開示する。
【先行技術文献】
【特許文献】
【０００５】
【特許文献１】特開平１０−２９２２０６号公報
【特許文献２】実用新案登録第３１６５７３３号公報
【発明の概要】
【発明が解決しようとする課題】
【０００６】
しかしながら、特許文献１に開示されたフットカバーの摩擦付与体だけでは十分でない場合があり、この場合には、歩行時、パンプスの脱ぎ履き時にフットカバーが脱げてしまったり履き位置がずれてしまったりする。特許文献２に開示された平ゴムでは、開口部の周縁の全体に亘って平ゴムを設けているため（平ゴムの伸縮性にもよるが）、フットカバーを履くときに開口部が十分に開かないで履きにくい場合があることに加えて、特許文献１に開示されたフットカバーと同じく、パンプスの脱ぎ履き時にフットカバーが脱げてしまったり履き位置がずれてしまったりする問題もある。
【０００７】
本発明は、従来技術の上述の問題点に鑑みて開発されたものであり、その目的とするところは、フットカバーを履くときに開口部が十分に開いて履きやすく、かつ、歩行時およびパンプスの脱ぎ履き時にフットカバーが脱げてしまったり履き位置がずれてしまったりすることがないフットカバーを提供することを目的とする。
【課題を解決するための手段】
【０００８】
上記目的を達成するため、本発明に係るフットカバーは以下の技術的手段を講じている。
すなわち、本発明のある態様に係るフットカバーは、爪先と踵を含む足底とを被覆するとともに足甲および足首を露出する。このフットカバーは、足底部、側辺部、踵部および前記爪先を覆う筒状の爪先部で形成されている。このフットカバーは、前記足底部に対して上下反対側に足を出し入れするための開口部を設け、前記開口部を形成する側辺部の上縁に伸縮性細幅生地を設け、着用時の側方視で、前記伸縮性細幅生地の長手方向と前記爪先部の上側の後縁とで形成される角度が略直角であることを特徴とする。
【０００９】
好ましくは、前記開口部を形成する爪先部の上側の後縁に伸縮性細幅生地を設け、着用時の側方視で、前記側辺部の上縁に設けられた伸縮性細幅生地の長手方向と前記爪先部の後縁に設けられた伸縮性細幅生地とで形成される角度が略直角に構成することができる。
さらに好ましくは、前記伸縮性細幅生地は、爪先部、足底部、側辺部および踵部を形成する生地のいずれかと同じ生地で形成することができる。
【００１０】
さらに好ましくは、前記伸縮性細幅生地は、爪先部、足底部、側辺部および踵部を形成する生地のいずれとも異なる生地で形成することができる。
また、本発明の別の態様に係るフットカバーは、爪先を被覆する。このフットカバーは、前記爪先を覆う筒状の爪先部と、前記爪先部の左右側にそれぞれ接合されて着用時に踵に係止されるループ状の伸縮性部材とで形成されている。このフットカバーは、着用時の側方視で、前記伸縮性部材の長手方向と前記爪先部の上側の後縁とで形成される角度が略直角であることを特徴とする。
【００１１】
さらに好ましくは、前記伸縮性部材は、細帯状または紐状であるように構成することができる。
【発明の効果】
【００１２】
本発明のフットカバーによれば、フットカバーを履くときに開口部が十分に開いて履きやすく、かつ、歩行時およびパンプスの脱ぎ履き時にフットカバーが脱げてしまったり履き位置がずれてしまったりすることがないようにできる。
【図面の簡単な説明】
【００１３】
【図１】本発明の第１の実施の形態に係るフットカバー（その１）の全体斜視図である。
【図２】図１のフットカバーを裏返した斜視図である。
【図３】本発明の第１の実施の形態に係るフットカバー（その２）の全体斜視図である。
【図４】図３のフットカバーを裏返した斜視図である。
【図５】本発明の第１の実施の形態に係るフットカバー（その３）の全体斜視図である。
【図６】図５のフットカバーを裏返した斜視図である。
【図７】本発明の第１の実施の形態に係るフットカバーの踵部内面の部分拡大図である。
【図８】本発明の第１の実施の形態に係るフットカバーの足底部の裏面図である。
【図９】本発明の第１の実施の形態に係るフットカバーの着用時における側方視の断面図である。
【図１０】ヒール高さが異なるパンプスを履いたときの側方視の断面図である。
【図１１】本発明の第２の実施の形態に係るフットカバーの全体斜視図である。
【図１２】図１１のフットカバーを裏返した斜視図である。
【図１３】本発明の第２の実施の形態に係るフットカバーの着用時における側方視の断面図である。
【発明を実施するための形態】
【００１４】
以下、本発明の実施の形態に係るフットカバーを、図面に基づき詳しく説明する。なお、フットカバーの構造には様々なものがあり、本発明は特定の構造に限定されるものではなく、後述する特徴を備えたものであれば、どのようなフットカバーの構造であっても、フットカバーを構成する生地の種類、生地の型紙およびその縫製がどのようなものであっても構わない。そのため、以下に示すフットカバーの構造自体は単なる例示でしかない。なお、いずれのフットカバーを形成する生地も伸縮性生地である。
【００１５】
＜第１の実施の形態＞
図１および図２に本発明の第１の実施の形態に係るフットカバー１００を、図３および図４に本発明の第１の実施の形態に係る別のフットカバー２００を、図５および図６に本発明の第１の実施の形態に係るさらに別のフットカバー３００を、それぞれ示す。図１、図３および図５は、フットカバーの全体斜視図であって、図２、図４および図６はフットカバーを裏返した斜視図であって、図１−図６のいずれの図も着用者の足Ｆにフットカバーを着用している状態を想定している。すなわち、本発明の実施の形態に係るフットカバーは、パンティストッキング等の伸縮性生地で形成されているために、このように想定して図示しない場合には縮んだ状態となり、形状を理解することが困難なため、上述のように想定している。
【００１６】
いずれのフットカバー１００、２００、３００も、着用者の足Ｆの爪先と踵を含む足底とを被覆するとともに足甲および足首を露出するフットカバーである。いずれのフットカバー１００、２００、３００も、着用時にパンプスから露出することのないよう履き口である開口部が大きくカットされた薄手の伸縮性生地（パンティストッキング等の生地）で形成されている。
【００１７】
フットカバー１００、２００、３００は、それぞれ、爪先部１０２、２０２、３０２、足底部１０４、２０４、３０４、側辺部１０６、２０６、３０６および踵部１０８、２０８、３０８で形成されている。そして、足底部１０４、２０４、３０４に対して上下反対側に足を出し入れするための開口部が設けられている。この開口部を形成する側辺部１０６、２０６、３０６の上縁に、それぞれ伸縮性細幅生地１１６、２１６、３１６が設けられている。
【００１８】
さらに、図７に示すように、踵部１０８、２０８、３０８において伸縮性細幅生地１１６、２１６、３１６の足Ｆ側（内側）には、シリコン樹脂等の薄いシートで形成された踵部滑り止め１１８、２１８、３１８が設けられている。これにより、足Ｆの踵との密着性を高めてフットカバー１００、２００、３００が足Ｆからずれることを防止できる。
さらに、図８に示すように、足底部１０４、２０４、３０４において、足Ｆが接する側と反対側（パンプスを履いたときにパンプスの内底に接する側）には、シリコン樹脂等の薄いシートで形成され、足底部滑り止め１１４、２１４、３１４が設けられている。これにより、パンプスの内底との密着性を高めてパンプス内におけるフットカバー１００、２００、３００の位置がずれることを防止できる。なお、この足底部滑り止め１１４、２１４、３１４は、花柄模様を形成している。
【００１９】
さらに、フットカバー１００とフットカバー２００との相違点は、以下の通りである。
フットカバー１００においては、このフットカバー１００を形成する、爪先部１０２、足底部１０４、側辺部１０６および踵部１０８が同じ生地で形成されており、伸縮性細幅生地１１６がこの生地と同じ共生地である。すなわち、このフットカバー１００は、全て同じ伸縮性生地で形成されている。
【００２０】
これに対して、フットカバー２００においては、爪先部２０２、足底部２０４、側辺部２０６および踵部２０８が全て同じ生地とは限らず、伸縮性細幅生地２１６がこれらのいずれの生地とも異なるか、または、これらのいずれかの生地と同じである。なお、このフットカバー２００は、フットカバー２００の爪先部２０２、側辺部２０６および踵部２０８は同じレース状またはメッシュ状の伸縮性生地であって、足底部２０４および伸縮性細幅生地２１６は伸縮性生地であるがレース状でもなくメッシュ状でもなく、足底部２０４と伸縮性細幅生地２１６とは同じ生地ではない（同じ生地であってもよい）。すなわち、このフットカバー２００は、異なる２種類以上の伸縮性生地で形成されており、伸縮性細幅生地２１６は、爪先部２０２、足底部２０４、側辺部２０６および踵部２０８の生地と同じ生地であっても異なる生地であっても構わない。
【００２１】
なお、フットカバー３００は、他のフットカバー１００、２００と異なり、図５および図６に示すように、開口部を形成する爪先部３０２の上側の後縁に伸縮性細幅生地３１２が設けられている。図５および図６に示すフットカバー３００は、フットカバー１００と同じく全て同じ伸縮性生地で形成されているとしたが、図示しないが、開口部を形成する爪先部の上側の後縁に伸縮性細幅生地３１２を設け、かつ、フットカバー２００と同じく、異なる２種類以上の伸縮性生地で形成されていても構わない。さらに、伸縮性細幅生地３１２および伸縮性細幅生地３１６は、爪先部３０２、足底部３０４、側辺部３０６および踵部３０８の生地と同じ生地であっても異なる生地であっても構わない。
【００２２】
以上をまとめると、本実施の形態に係るフットカバーは、
（１）開口部を形成する側辺部の上縁に設けられる伸縮性細幅生地１１６が共生地で、かつ、爪先部１０２の上側の後縁に伸縮性細幅生地が設けられていないフットカバー１００（図１、図２）、
（２）開口部を形成する側辺部２０６の上縁に設けられる伸縮性細幅生地２１６が共生地でなく、かつ、爪先部２０２の上側の後縁に伸縮性細幅生地が設けられていないフットカバー２００（図３、図４）、
（３）開口部を形成する側辺部３０６の上縁に設けられる伸縮性細幅生地３１６が共生地で、かつ、爪先部３０２の上側の後縁に伸縮性細幅生地３１２が設けられているフットカバー３００（図５、図６）、
（４）開口部を形成する側辺部の上縁に設けられる伸縮性細幅生地が共生地でなく、かつ、爪先部の上側の後縁に伸縮性細幅生地が設けられているフットカバー（図示しない）である。
【００２３】
これらのフットカバー１００、２００、３００に共通する特徴について、図９（この図９では伸縮性細幅生地３１２を記載していない）を参照して、以下に詳しく説明する。
図９に示すように、フットカバー１００、２００、３００については、フットカバー１００、２００、３００の着用時の側方視で、側辺部１０６、２０６、３０６の上縁に設けられた伸縮性細幅生地１１６、２１６、３１６の長手方向と爪先が挿入される開口断面（Ｌ−Ｌでその断面を記載）とで形成される角度αが略直角であることを特徴とする。また、このことは、伸縮性細幅生地１１６、２１６、３１６の長手方向と爪先部１０２、２０２、３０２の上側の後縁（Ｌ−Ｌで記載された断面と同じ）とで形成される角度αが略直角であるともいえる。また、特に、フットカバー３００については、フットカバー３００
の着用時の側方視で、側辺部３０６の上縁に設けられた伸縮性細幅生地３１６の長手方向と爪先部３０２の後縁に設けられた伸縮性細幅生地３１２とで形成される角度αが略直角である。
【００２４】
このように、フットカバー１００、２００、３００においては、上述した角度αが略直角であることにより、図９に矢示するように、Ｌ−Ｌで示される面に対して垂直方向に、爪先部を後方へ引っ張る力が大きく作用する。
一方、特許文献２のように開口部の周縁の全周に沿って平ゴムを設けた場合には、平ゴムが足の甲から足首にかけて回り込んでフットカバーがずれることを防止する。しかしながら、この場合には、平ゴムが足首を絞り込むように作用するために、平ゴムにより作用する力は、爪先部を後方へ引っ張る力と、上方へ引き上げる力とに分けられて作用する。このため、平ゴムと伸縮性細幅生地３１６とが同じ程度の伸縮性を備える場合、爪先部を後方へ引っ張る力は平ゴムの方が小さくなり、爪先部を後方へ引っ張る力が小さくなる。
【００２５】
これに対して本実施の形態に係るフットカバーにおいては、角度αが略直角であるために、伸縮性細幅生地１１６、２１６、３１６により作用する力は、（分力により爪先部を後方へ引っ張る力として作用するのではなく）全てが爪先部を後方へ引っ張る力として作用する。このため、爪先部１０２、２０２、３０２が強力に後方へ引っ張られる。このため、歩行時およびパンプスＰの脱ぎ履き時にフットカバーが脱げてしまったり履き位置がずれてしまったりすることがない。
【００２６】
また、フットカバー１００、２００については、爪先部１０２、２０２の上側の後縁に伸縮性細幅生地が設けられていない。このため、開口部の全周に沿って１つの平ゴムを設けたフットカバー（特許文献２に開示されたフットカバー）に比較して、フットカバー１００、２００を履くときに開口部が十分に開いて履きやすい。
また、フットカバー３００については、爪先部３０２の上側の後縁に伸縮性細幅生地３１２が設けられているものの、開口部の全周に沿って１つの平ゴムを設けたフットカバー（特許文献２に開示されたフットカバー）に比較して、フットカバー３００を履くときに開口部が十分に開いて履きやすい。
【００２７】
このような特徴を備えた本実施の形態に係るフットカバーは、さらに以下のような作用効果を発現する。
図１０（Ａ）、図１０（Ｂ）に、ヒール高さが異なる靴（パンプスＰ（１）、Ｐ（２））を履いたときの側方視の断面図をそれぞれ示す。図１０（Ｂ）のパンプスＰ（２）の方が、図１０（Ａ）のパンプスＰ（１）のよりも、ヒール高さが高い。
【００２８】
どのような靴（パンプス）であっても、先端（少なくとも足指の付け根付近）から土踏まず手前付近までは平坦（パンプスの平坦部として図示）である。このようなパンプスの平坦部が形成されていないと、パンプスの内面全体が斜め形状となり安定性を欠くことになり、安定して歩行することができない。このため、どのような靴（ヒールの有無にかかわらず）であっても、この平坦部を備える。
【００２９】
一方、本実施の形態に係るフットカバー１００、２００、３００の爪先部１０２、２０２、３０２の開口断面（爪先部の上側の後縁）は、パンプスの履き口が大きく開いているので、パンプスを履いたときにフットカバーが見えないように、パンプスの平坦部の前半分程度までの長さ（足指の根元程度までの長さ）しかない。このため、水平面に対するＬ−Ｌで示される開口断面（爪先部の上側の後縁）の角度は、どのようなパンプスであっても同じ角度となり、さらに、このＬ−Ｌで示される開口断面（爪先部の上側の後縁）と伸縮性細幅生地１１６、２１６、３１６とで形成される角度αは、どのようなパンプスＰであっても略直角を実現することになる。
【００３０】
このように、図１０（Ａ）に示すようにパンプスＰ（１）を履いた場合であっても図１０（Ｂ）に示すようにパンプスＰ（２）を履いた場合であっても、角度αが略直角であることにより、Ｌ−Ｌで示される開口断面（爪先部の上側の後縁）に対して垂直方向に、爪先部１０２、２０２、３０２を後方へ引っ張る力が大きく作用することになる。
このため、本実施の形態に係るフットカバー１００、２００、３００においては、異なるヒール高さの靴であっても、爪先部１０２、２０２、３０２が強力に後方へ引っ張られる。このため、どのようなパンプスを履いても、歩行時およびパンプスの脱ぎ履き時にフットカバーが脱げてしまったり履き位置がずれてしまったりすることがない。
【００３１】
なお、特許文献２のように開口部の周縁の全周に沿って平ゴムを設けた場合には、パンプスのヒール高さにより、平ゴムが足の甲から足首にかけて回り込む形態が変化する。このため、いろいろなヒール高さのパンプスに対応して、フットカバーがずれることを防止することができない。すなわち、この平ゴムは一本物であるために（開口部の周縁の全体に亘って１本物の平ゴムを設けているために）、側辺部から爪先部への至る部分のＲが大きくなっており、パンプスのヒール高さによってはこの部分にしわが発生して、十分な引っ張り力を発現させることができない。
【００３２】
このように、特許文献２に開示されたフットカバーでは、いろいろなヒール高さのパンプスに対応できなかったり、爪先部を後方へ引っ張る力が小さくなったりして、歩行時およびパンプスの脱ぎ履き時にフットカバーが脱げてしまったり履き位置がずれてしまったりすることを防止することができない。
なお、いずれのフットカバーにおいても、伸縮性細幅生地は、フットカバー生地に、熱プレス装置により接合されている。
【００３３】
以上のようにして、本実施の形態に係るフットカバーによると、フットカバーの着用時の側方視で、側辺部の上縁に設けられた伸縮性細幅生地の長手方向と爪先部の上側の後縁（爪先が挿入される開口断面）とで形成される角度αが略直角になるように形成した。このため、爪先部を後方へ引っ張る力が大きく、歩行時およびパンプスの脱ぎ履き時にフットカバーが脱げてしまったり履き位置がずれてしまったりすることを防止することができる。また、開口部の全周に沿って１つの伸縮性細幅生地を設けていないので、フットカバーを履くときに、開口部が十分に開いて履きやすい。さらに、ヒール高さが異なるパンプスであっても、歩行時およびパンプスの脱ぎ履き時にフットカバーが脱げてしまったり履き位置がずれてしまったりすることを防止することができる。
【００３４】
＜第２の実施の形態＞
以下に、本発明の第２の実施の形態に係るフットカバー４００について説明する。なお、本実施の形態に係るフットカバー４００は、上述した第１の実施の形態に係るフットカバー１００、２００、３００の足底部１０４、２０４、３０４、側辺部１０６、２０６、３０６および踵部１０８、２０８、３０８を備えない点が異なる。それ以外は、第１の実施の形態と同じであるので、上述した説明と重複する部分についてはここでは繰り返さない。
【００３５】
図１１および図１２に本発明の第２の実施の形態に係るフットカバー４００を示す。図１１は、フットカバー４００の全体斜視図であって、図１２はフットカバー４００を裏返した斜視図であって、図１１および図１２のいずれの図も着用者の足Ｆにフットカバー４００を着用している状態を想定している。
これらの図に示すように、このフットカバー４００は、爪先を被覆するフットカバーであって、爪先を覆う筒状の爪先部４０２と、爪先部４０２の左右側にそれぞれ接合されて着用時に踵に係止されるループ状の伸縮性部材４１６とで形成される。伸縮性部材４１６
の踵に当接する部分には、シリコン樹脂等の薄いシートで形成された踵部滑り止め４１８が設けられている。これにより、足Ｆの踵との密着性を高めてフットカバー４００が足Ｆからずれることを防止できる。また、爪先部４０２には、足Ｆが接する側と反対側（パンプスを履いたときにパンプスの内底に接する側）には、シリコン樹脂等の薄いシートで形成され、足底部滑り止めを設けることも好ましい。これにより、パンプスの内底との密着性を高めてパンプス内におけるフットカバー４００の位置がずれることを防止できる。
【００３６】
なお、伸縮性部材４１６の生地は、爪先部４０２と同じパンティストッキング等の伸縮性生地であっても、異なる生地であっても構わない。さらに、伸縮性部材４１６は、細帯状としているが、紐状であっても構わない。この場合において、踵部滑り止め４１８を設けることが困難であると、紐状の伸縮性部材４１６をシリコン樹脂コーティングしたゴム部材（ゴム紐）等で形成することが好ましい。
【００３７】
このようなフットカバー４００において、図１３に示すように、フットカバー１００、２００、３００の着用時の側方視で、伸縮性部材４１６の長手方向と爪先部４０２の上側の後縁とで形成される角度αが略直角である。これは、足底部、側辺部および踵部を備えない点を除けば、上述した図９と同じである。そして、図１０を用いて説明したように、このフットカバー４００も、ヒール高さが異なるパンプスであっても、歩行時およびパンプスの脱ぎ履き時にフットカバーが脱げてしまったり履き位置がずれてしまったりすることを防止することができる。
【００３８】
以上のようにして、本実施の形態に係るフットカバー４００も、上述した第１の実施の形態に係るフットカバー１００、２００、３００と同様の作用効果を発現することができる。
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００３９】
本発明は、素足で履くフットカバーに好適であり、フットカバーを履くときに開口部が十分に開いて履きやすく、かつ、歩行時およびパンプスの脱ぎ履き時にフットカバーが脱げてしまったり履き位置がずれてしまったりすることがない点で特に好ましい。
【符号の説明】
【００４０】
１００、２００、３００  第１の実施の形態に係るフットカバー
１０２、２０２、３０２  爪先部
３１２  （爪先部の後縁に設けられた）伸縮性細幅生地
１０４、２０４、３０４  足底部
１１４、２１４、３１４  足底部滑り止め
１０６、２０６、３０６  側辺部
１１６、２１６、３１６  （側辺部の上縁に設けられた）伸縮性細幅生地
１０８、２０８、３０８  踵部
１１８、２１８、３１８  踵部滑り止め
４００  第２の実施の形態に係るフットカバー
４０２  爪先部
４１６  伸縮性部材
Ｆ  足
Ｐ（１）、Ｐ（２）  パンプス
【図１】
2020045607.tif 000003
【図２】
2020045607.tif 000004
【図３】
2020045607.tif 000005
【図４】
2020045607.tif 000006
【図５】
2020045607.tif 000007
【図６】
2020045607.tif 000008
【図７】
2020045607.tif 000009
【図８】
2020045607.tif 000010
【図９】
2020045607.tif 000011
【図１０】
2020045607.tif 000012
【図１１】
2020045607.tif 000013
【図１２】
2020045607.tif 000014
【図１３】
2020045607.tif 000015
【手続補正書】
【提出日】令和1年12月17日(2019.12.17)
【手続補正１】
【補正対象書類名】特許請求の範囲
【補正対象項目名】全文
【補正方法】変更
【補正の内容】
【特許請求の範囲】
【請求項１】
爪先と踵を含む足底とを被覆するとともに足甲および足首を露出するフットカバーであって、伸縮性生地で構成された、足底部、側辺部、踵部および前記爪先を覆う爪先部で形成され、
前記フットカバーは、前記爪先部と、前記足底部と、前記側辺部および前記踵部とが縫製されて形成され、
前記足底部に対して上下反対側に足を出し入れするための開口部を設け、
前記開口部を形成する側辺部の上縁に、第１の伸縮性生地が存在し、
前記開口部を形成する爪先部の後縁に、前記第１の伸縮性生地とは別体の第２の伸縮性生地が存在し、
前記第１の伸縮性生地と前記第２の伸縮性生地とは、前記開口部を形成する前記側辺部と前記爪先部との接続部分である交差箇所において互いに交差するように存在し、
前記交差箇所において前記第１の伸縮性生地と前記第２の伸縮性生地とが一体化され、
前記第１の伸縮性生地は、前記開口部を形成する一方の側辺部と前記爪先部との接続部分である一方の交差箇所から踵部を経由して他方の側辺部と前記爪先部との接続部分である他方の交差箇所まで連続して、前記側辺部の上縁および前記踵部の上縁に存在し、
前記第１の伸縮性生地は前記側辺部および前記踵部を形成する伸縮性生地で形成され、前記第２の伸縮性生地は前記爪先部を形成する伸縮性生地で形成されていることを特徴とするフットカバー。
【請求項２】
着用時の側方視で、前記爪先部における開口断面の位置は足指の根元の位置である、請求項１に記載のフットカバー。
【請求項３】
前記フットカバーは、前記爪先部を形成する１枚の伸縮性生地と、前記足底部を形成する１枚の伸縮性生地と、前記側辺部および前記踵部を形成する１枚の伸縮性生地とが縫製されて形成された、請求項１または請求項２に記載のフットカバー。